(57)【要約】【課題】  会計時に、紙を用いずに、集計結果や計算結果を視認することが可能な非接触データ通信システム及び非接触識別タグを提供する。【解決手段】  回転寿司店等において、客が飲食を終了し、皿の集計をする際には、リーダ・ライタ装置によって各皿に取り付けられた各非接触識別タグ３から単価データを含む管理データを受信する。次に、各非接触識別タグ３に対して、前記管理データを正常に受信したことを示すデータを送信することによって、図７（ｂ）に示すように、非接触識別タグ３の電気泳動表示装置３７の全面を淡色から濃色に変更する。次いで、リーダ・ライタ装置は、各管理データに含まれる単価データを演算部で演算して合計金額を算出し、その後、合計金額データを任意の１つの非接触識別タグ３に送信することによって、図７（ｃ）に示すように、合計金額を非接触識別タグ３の電気泳動表示装置３７に表示させる。【選択図】  図７
2005157850.tif 000002
【特許請求の範囲】
【請求項１】
リーダ・ライタ装置と、複数の非接触識別タグとを含む非接触データ通信システムであって、
前記リーダ・ライタ装置は、前記非接触識別タグと非接触でデータ通信可能な第１のデータ通信部と、データを演算可能な演算部とを有し、
前記非接触識別タグは、前記リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有しており、
前記リーダ・ライタ装置は、複数の前記非接触識別タグのデータ記憶部に記憶された第１のデータを前記第１のデータ通信部で受信し、前記第１のデータ又は前記第１のデータに対応づけられて前記リーダ・ライタ装置で取得された第２のデータを前記演算部によって演算して得られた第３のデータを、少なくとも１つの前記非接触識別タグに送信し、前記非接触識別タグは、前記表示部に前記第３のデータを表示することを特徴とする非接触データ通信システム。
【請求項２】
請求項１に記載の非接触データ通信システムにおいて、
前記リーダ・ライタ装置は、前記第１のデータ通信部によるデータ通信時に、前記非接触識別タグに電力供給用の電磁波を送信する電力供給用電磁波送信部を有し、
前記非接触識別タグは、前記リーダ・ライタ装置から送信された電力供給用の電磁波から駆動用電力を生成する駆動用電力生成部を有することを特徴とする非接触データ通信システム。
【請求項３】
請求項１又は２に記載の非接触データ通信システムにおいて、前記演算部で演算される前記第１のデータ又は前記第２のデータは、商品の単価データを含んでおり、前記第３のデータは、前記商品の単価データを合計した合計金額データを含んでいることを特徴とする非接触データ通信システム。
【請求項４】
請求項１〜３のいずれか１項に記載の非接触データ通信システムにおいて、前記非接触識別タグは、所定物に取り付けられて用いられ、前記所定物から前記非接触識別タグが取り外されたか否かを検出する取り外し検出部を有することを特徴とする非接触データ通信システム。
【請求項５】
請求項４に記載の非接触データ通信システムにおいて、前記取り外し検出部の検出結果に基づいて、前記非接触識別タグへのアクセスを制限することを特徴とする非接触データ通信システム。
【請求項６】
請求項１〜５のいずれか１項に記載の非接触データ通信システムにおいて、前記表示部に、前記第３のデータを表示することによって、前記リーダ・ライタ装置が、前記非接触識別タグのデータ記憶部に記憶された前記第１のデータを正常に受信したことを示すことを特徴とする非接触データ通信システム。
【請求項７】
リーダ・ライタ装置と、複数の非接触識別タグとを含む非接触データ通信システムであって、
前記リーダ・ライタ装置は、前記非接触識別タグと非接触でデータ通信可能な第１のデータ通信部を有しており、
前記非接触識別タグは、前記リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、
前記非接触識別タグは、前記データ記憶部に記憶された第１のデータを、前記第２のデータ通信部で前記リーダ・ライタ装置に送信する際に、前記第１のデータを送信したことを前記表示部で示すことを特徴とする非接触データ通信システム。
【請求項８】
リーダ・ライタ装置と、複数の非接触識別タグとを含む非接触データ通信システムであって、
前記リーダ・ライタ装置は、前記非接触識別タグと非接触でデータ通信可能な第１のデータ通信部を有しており、
前記非接触識別タグは、前記リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、
前記リーダ・ライタ装置は、複数の前記非接触識別タグのデータ記憶部に記憶された第１のデータを前記第１のデータ通信部で受信し、前記第１のデータを正常に受信した場合に、前記第１のデータを記憶していた非接触識別タグに第４のデータを送信し、前記非接触識別タグは、前記第４のデータに基づいて、前記第１のデータが前記リーダ・ライタ装置に正常に受信されたことを前記表示部で示すことを特徴とする非接触データ通信システム。
【請求項９】
請求項８に記載の非接触データ通信システムにおいて、前記非接触識別タグは、所定物に取り付けられて用いられ、前記所定物から前記非接触識別タグが取り外されたか否かを検出する取り外し検出部を有することを特徴とする非接触データ通信システム。
【請求項１０】
請求項９に記載の非接触データ通信システムにおいて、前記取り外し検出部の検出結果に基づいて、前記非接触識別タグへのアクセスを制限することを特徴とする非接触データ通信システム。
【請求項１１】
リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、
前記データ記憶部に記憶された第１のデータを前記第２のデータ通信部で前記リーダ・ライタ装置に送信した後に、前記リーダ・ライタ装置が前記第１のデータ又は前記第１のデータに対応づけられて前記リーダ・ライタ装置で取得された第２のデータを演算して得た第３のデータを受信し、前記表示部に前記第３のデータを表示することを特徴とする非接触識別タグ。
【請求項１２】
請求項１１に記載の非接触識別タグにおいて、前記リーダ・ライタ装置から送信された電力供給用の電磁波から駆動用電力を生成する駆動用電力生成部を有することを特徴とする非接触識別タグ。
【請求項１３】
請求項１１又は１２に記載の非接触識別タグにおいて、前記第２のデータ通信部で、前記リーダ・ライタ装置に送信する前記第１のデータは、商品を識別するＩＤ番号又は前記商品の単価データを含んでおり、前記第２のデータ通信部で、前記リーダ・ライタ装置から受信する前記第３のデータは、前記商品の単価データを合計した合計金額データを含んでいることを特徴とする非接触識別タグ。
【請求項１４】
請求項１１〜１３のいずれか１項に記載の非接触識別タグにおいて、所定物から前記非接触識別タグが取り外されたか否かを検出する取り外し検出部を有することを特徴とする非接触識別タグ。
【請求項１５】
請求項１４に記載の非接触識別タグにおいて、前記取り外し検出部の検出結果に基づいて、外部からのアクセスを制限することを特徴とする非接触識別タグ。
【請求項１６】
請求項１１〜１５のいずれか１項に記載の非接触識別タグにおいて、前記表示部に、前記第３のデータを表示することによって、前記リーダ・ライタ装置が前記非接触識別タグのデータ記憶部に記憶された前記第１のデータを、正常に受信したことを示すことを特徴とする非接触識別タグ。
【請求項１７】
リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、
前記データ記憶部に記憶された第１のデータを、前記第２のデータ通信部で前記リーダ・ライタ装置に送信する際に、前記第１のデータを送信したことを前記表示部で示すことを特徴とする非接触識別タグ。
【請求項１８】
リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、
前記データ記憶部に記憶された第１のデータを、前記第２のデータ通信部で前記リーダ・ライタ装置に送信した後に、前記リーダ・ライタ装置が前記第１のデータを正常に受信した場合に送信する第４のデータを受信し、前記第４のデータに基づいて、前記第１のデータが前記リーダ・ライタ装置に正常に受信されたことを前記表示部で示すことを特徴とする非接触識別タグ。
【請求項１９】
請求項１８に記載の非接触識別タグにおいて、所定物から前記非接触識別タグが取り外されたか否かを検出する取り外し検出部を有することを特徴とする非接触識別タグ。
【請求項２０】
請求項１９に記載の非接触識別タグにおいて、前記取り外し検出部の検出結果に基づいて、外部からのアクセスを制限することを特徴とする非接触識別タグ。
【発明の詳細な説明】
【技術分野】
【０００１】
本発明は、非接触データ通信システム及び非接触識別タグに関する。
【背景技術】
【０００２】
従来、回転寿司店における会計方法は、まず、客が飲食した飲食テーブルで、飲食後の皿を店が同一単価の皿ごとに集計し、その集計結果を用紙に記入して客に渡している。客は受け取った用紙をレジに持参し、店に提示する。店はその用紙に記載された集計結果から合計金額を計算して客に請求し、客がその金額を支払う。
【０００３】
しかし、このような会計方法では、皿の集計やレジでの入力に時間がかかるため非効率であるうえ、集計ミスやレジでの入力ミスが発生しやすいという問題を有していた。
【０００４】
このため、リーダ・ライタ装置と非接触識別タグとを含む非接触データ通信システムを用いて、回転寿司店等における会計処理を効率的かつ正確に行おうとする方法が提案されている（例えば特許文献１、２）。
【０００５】
特許文献１に示された方法では、商品の種類や単価等の情報が記憶された非接触識別タグを予め皿に取り付けておき、飲食後に、飲食テーブルで、各皿に取り付けられた非接触識別タグに記憶された情報をリーダ・ライタ装置で読み取り、これをメモリカードに記憶させる。店は、客がレジに持参した前記メモリカードから、コンピュータに接続された読み出し装置によって前記情報を読み出して、コンピュータによって支払い金額を計算し、客に請求する。
【０００６】
また、特許文献２には、プリンタが備えられたリーダ・ライタ装置で各皿の情報を読み取り、リーダ・ライタ装置で支払い金額の計算まで行った後に、支払い金額をプリンタで文字やバーコードとして用紙に印刷して、客がこの用紙をレジまで持参する方法が示されている。
【０００７】
【特許文献１】特開平１１−１７８６９４号公報
【特許文献２】特開２００３−４４９４１号公報
【発明の開示】
【発明が解決しようとする課題】
【０００８】
しかしながら、特許文献１に示す方法では、集計や計算等の作業が自動的に行われるため、会計が効率的である半面、客はレジに行くまで支払い金額を知ることができないため、不安を抱いてしまうという問題を有している。さらに、飲食した一部の皿の情報をリーダ・ライタ装置が読み取り損ねたり、隣席の客が飲食した皿や回転中の皿の情報を誤って読み取ったりといった集計ミスがないかどうかを、客、店の双方ともその場（飲食テーブル）で確認できないという問題を有している。
【０００９】
一方、特許文献２に示す方法では、リーダ・ライタ装置にバーコード等を印刷するためのプリンタを備える必要があるため、リーダ・ライタ装置が大型化するうえ、紙の浪費を招くとともに、客が飲食テーブルからレジへ行くまでの間に、紙を汚したり、折り曲げたりすると、バーコードが読み取れず会計の効率が落ちてしまうという問題を有している。
【００１０】
本発明は上記問題を鑑みてなされたものであり、その目的は、紙を用いずに、集計結果や計算結果を視認することが可能な非接触データ通信システム及び非接触識別タグを提供することにある。
【課題を解決するための手段】
【００１１】
本発明の非接触データ通信システムは、リーダ・ライタ装置と、複数の非接触識別タグとを含む非接触データ通信システムであって、前記リーダ・ライタ装置は、前記非接触識別タグと非接触でデータ通信可能な第１のデータ通信部と、データを演算可能な演算部とを有し、前記非接触識別タグは、前記リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有しており、前記リーダ・ライタ装置は、複数の前記非接触識別タグのデータ記憶部に記憶された第１のデータを前記第１のデータ通信部で受信し、前記第１のデータ又は前記第１のデータに対応づけられて前記リーダ・ライタ装置で取得された第２のデータを前記演算部によって演算して得られた第３のデータを、少なくとも１つの前記非接触識別タグに送信し、前記非接触識別タグは、前記表示部に前記第３のデータを表示することを特徴とする。
【００１２】
これによれば、リーダ・ライタ装置で演算した結果を、非接触識別タグの表示部で視認することが可能となるため、紙を用いずに、その場で演算結果の妥当性を確認することが可能となる。
【００１３】
さらに、この表示部に、演算の元になった集計結果や内訳等を表示すれば、演算結果をより詳しく確認する作業が容易になる。
【００１４】
この非接触データ通信システムにおいて、前記リーダ・ライタ装置は、前記第１のデータ通信部によるデータ通信時に、前記非接触識別タグに電力供給用の電磁波を送信する電力供給用電磁波送信部を有し、前記非接触識別タグは、前記リーダ・ライタ装置から送信された電力供給用の電磁波から駆動用電力を生成する駆動用電力生成部を有していてもよい。
【００１５】
これによれば、リーダ・ライタ装置から送信される電磁波で、非接触識別タグを駆動することが可能となるため、非接触識別タグには電源を備える必要がなく、小型で薄型の非接触識別タグを得ることが可能となる。
【００１６】
この非接触データ通信システムにおいて、前記演算部で演算される前記第１のデータ又は前記第２のデータは、商品の単価データを含んでおり、前記第３のデータは、前記商品の単価データを合計した合計金額データを含んでいてもよい。
【００１７】
これによれば、複数の非接触識別タグに記憶されたデータから得られる単価の合計金額が、前記非接触識別タグの表示部に表示されるため、リーダ・ライタ装置が単価データを受信した後すぐに、店員と客の双方が合計金額を確認することが可能となる。
【００１８】
この非接触データ通信システムにおいて、前記非接触識別タグは、所定物に取り付けられて用いられ、前記所定物から前記非接触識別タグが取り外されたか否かを検出する取り外し検出部を有していてもよい。
【００１９】
これによれば、非接触識別タグが、所定物から取り外されたことを検出する取り外し検出部を有しているため、１つのリーダ・ライタ装置と通信可能な複数の非接触識別タグにおいて、所定物に取り付けられたものと取り外されたものとで、異なる処理をすることが可能となる。例えば、所定物から取り外された非接触識別タグに対して、データ記憶部への新たなデータの記憶や、表示部の表示の更新を禁止したり、制限したりすることが可能となる。
【００２０】
この非接触データ通信システムにおいて、前記取り外し検出部の検出結果に基づいて、前記非接触識別タグへのアクセスを制限するようにしてもよい。
【００２１】
これによれば、所定物から取り外された非接触識別タグに対する外部からのアクセスを制限するため、取り外された非接触識別タグへの不正な書き込み等を防止することが可能となる。
【００２２】
この非接触データ通信システムにおいて、前記表示部に、前記第３のデータを表示することによって、前記リーダ・ライタ装置が、前記非接触識別タグのデータ記憶部に記憶された前記第１のデータを正常に受信したことを示してもよい。
【００２３】
これによれば、前記リーダ・ライタ装置で演算した結果を前記表示部で視認することが可能となるため、紙を用いずに、その場で演算結果の妥当性を確認することが可能となる。さらに、データ記憶部に記憶された前記第１のデータがリーダ・ライタ装置で正常に受信されたものとそうでないものを、非接触識別タグの表示部によって見分けることが可能となるため、読み取り損ねたり誤って読み取ったりした非接触識別タグを検出することが容易になる。
【００２４】
本発明の非接触データ通信システムは、リーダ・ライタ装置と、複数の非接触識別タグとを含む非接触データ通信システムであって、前記リーダ・ライタ装置は、前記非接触識別タグと非接触でデータ通信可能な第１のデータ通信部を有しており、前記非接触識別タグは、前記リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、前記非接触識別タグは、前記データ記憶部に記憶された第１のデータを、前記第２のデータ通信部で前記リーダ・ライタ装置に送信する際に、前記第１のデータを送信したことを前記表示部で示すことを特徴とする。
【００２５】
これによれば、前記第１のデータをリーダ・ライタ装置に送信したものとそうでないものを、非接触識別タグの表示部によって見分けることが可能となるため、読み取り損ねたり誤って読み取ったりした非接触識別タグを検出することが容易になる。
【００２６】
本発明の非接触データ通信システムは、リーダ・ライタ装置と、複数の非接触識別タグとを含む非接触データ通信システムであって、前記リーダ・ライタ装置は、前記非接触識別タグと非接触でデータ通信可能な第１のデータ通信部を有しており、前記非接触識別タグは、前記リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、前記リーダ・ライタ装置は、複数の前記非接触識別タグのデータ記憶部に記憶された第１のデータを前記第１のデータ通信部で受信し、前記第１のデータを正常に受信した場合に、前記第１のデータを記憶していた非接触識別タグに第４のデータを送信し、前記非接触識別タグは、前記第４のデータに基づいて、前記第１のデータが前記リーダ・ライタ装置に正常に受信されたことを前記表示部で示すことを特徴とする。
【００２７】
これによれば、前記第１のデータがリーダ・ライタ装置で正常に受信されたものとそうでないものを、非接触識別タグの表示部によって見分けることが可能となるため、読み取り損ねたり誤って読み取ったりした非接触識別タグを検出することが容易になる。
【００２８】
この非接触データ通信システムにおいて、前記非接触識別タグは、所定物に取り付けられて用いられ、前記所定物から前記非接触識別タグが取り外されたか否かを検出する取り外し検出部を有していてもよい。
【００２９】
これによれば、非接触識別タグが、所定物から取り外されたことを検出する取り外し検出部を有しているため、１つのリーダ・ライタ装置と通信可能な複数の非接触識別タグにおいて、所定物に取り付けられたものと取り外されたものとで、異なる処理をすることが可能となる。例えば、所定物から取り外された非接触識別タグに対して、データ記憶部への新たなデータの記憶や、表示部の表示の更新を禁止したり、制限したりすることが可能となる。
【００３０】
この非接触データ通信システムにおいて、前記取り外し検出部の検出結果に基づいて、前記非接触識別タグへのアクセスを制限するようにしてもよい。
【００３１】
これによれば、所定物から取り外された非接触識別タグに対する外部からのアクセスを制限するため、取り外された非接触識別タグへの不正な書き込み等を防止することが可能となる。
【００３２】
本発明の非接触識別タグは、リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、前記データ記憶部に記憶された第１のデータを前記第２のデータ通信部で前記リーダ・ライタ装置に送信した後に、前記リーダ・ライタ装置が前記第１のデータ又は前記第１のデータに対応づけられて前記リーダ・ライタ装置で取得された第２のデータを演算して得た第３のデータを受信し、前記表示部に前記第３のデータを表示することを特徴とする。
【００３３】
これによれば、前記リーダ・ライタ装置で演算した結果を前記表示部で視認することが可能となるため、紙を用いずに、その場で演算結果の妥当性を確認することが可能となる。
【００３４】
さらに、この表示部に、演算の元になった集計結果や内訳等を表示すれば、演算結果をより詳しく確認する作業が容易になる。
【００３５】
この非接触識別タグにおいて、前記リーダ・ライタ装置から送信された電力供給用の電磁波から駆動用電力を生成する駆動用電力生成部を有していてもよい。
【００３６】
これによれば、リーダ・ライタ装置から送信される電磁波で、非接触識別タグを駆動することが可能となるため、非接触識別タグには電源を備える必要がなく、小型で薄型の非接触識別タグを得ることが可能となる。
【００３７】
この非接触識別タグにおいて、前記第２のデータ通信部で、前記リーダ・ライタ装置に送信する前記第１のデータは、商品を識別するＩＤ番号又は前記商品の単価データを含んでおり、前記第２のデータ通信部で、前記リーダ・ライタ装置から受信する前記第３のデータは、前記商品の単価データを合計した合計金額データを含んでいてもよい。
【００３８】
これによれば、複数の非接触識別タグに記憶されたデータから得られる単価の合計金額が、前記非接触識別タグの表示部に表示されるため、リーダ・ライタ装置が単価データを受信した後すぐに、店員と客の双方が合計金額を確認することが可能となる。
【００３９】
この非接触識別タグにおいて、所定物から前記非接触識別タグが取り外されたか否かを検出する取り外し検出部を有していてもよい。
【００４０】
これによれば、非接触識別タグが、所定物から取り外されたことを検出する取り外し検出部を有しているため、１つのリーダ・ライタ装置と通信可能な複数の非接触識別タグにおいて、所定物に取り付けられたものと取り外されたものとで、異なる処理をすることが可能となる。例えば、所定物から取り外された非接触識別タグに対して、データ記憶部への新たなデータの記憶や、表示部の表示の更新を禁止したり、制限したりすることが可能となる。
【００４１】
この非接触識別タグにおいて、前記取り外し検出部の検出結果に基づいて、外部からのアクセスを制限するようにしてもよい。
【００４２】
これによれば、所定物から取り外された非接触識別タグが、外部からのアクセスを制限するため、取り外された非接触識別タグへの不正な書き込み等を防止することが可能となる。
【００４３】
この非接触識別タグにおいて、前記表示部に、前記第３のデータを表示することによって、前記リーダ・ライタ装置が前記非接触識別タグのデータ記憶部に記憶された前記第１のデータを、正常に受信したことを示すようにしてもよい。
【００４４】
これによれば、前記リーダ・ライタ装置で演算した結果を前記表示部で視認することが可能となるため、紙を用いずに、その場で演算結果の妥当性を確認することが可能となる。さらに、データ記憶部に記憶された前記第１のデータがリーダ・ライタ装置で正常に受信されたものとそうでないものを、非接触識別タグの表示部によって見分けることが可能となるため、読み取り損ねたり誤って読み取ったりした非接触識別タグを検出することが容易になる。
【００４５】
本発明の非接触識別タグは、リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、前記データ記憶部に記憶された第１のデータを、前記第２のデータ通信部で前記リーダ・ライタ装置に送信する際に、前記第１のデータを送信したことを前記表示部で示すことを特徴とする。
【００４６】
これによれば、前記第１のデータをリーダ・ライタ装置に送信したものとそうでないものを、非接触識別タグの表示部によって見分けることが可能となるため、読み取り損ねたり誤って読み取ったりした非接触識別タグを検出することが容易になる。
【００４７】
本発明の非接触識別タグは、リーダ・ライタ装置と非接触でデータ通信可能な第２のデータ通信部と、前記第２のデータ通信部で受信したデータを記憶可能なデータ記憶部と、前記第２のデータ通信部で受信したデータに基づく表示が可能な表示部とを有し、前記データ記憶部に記憶された第１のデータを、前記第２のデータ通信部で前記リーダ・ライタ装置に送信した後に、前記リーダ・ライタ装置が前記第１のデータを正常に受信した場合に送信する第４のデータを受信し、前記第４のデータに基づいて、前記第１のデータが前記リーダ・ライタ装置に正常に受信されたことを前記表示部で示すことを特徴とする。
【００４８】
これによれば、前記第１のデータがリーダ・ライタ装置で正常に受信されたものとそうでないものを、非接触識別タグの表示部によって見分けることが可能となるため、読み取り損ねたり誤って読み取ったりした非接触識別タグを検出することが容易になる。
【００４９】
この非接触識別タグにおいて、所定物から前記非接触識別タグが取り外されたか否かを検出する取り外し検出部を有していてもよい。
【００５０】
これによれば、非接触識別タグが、所定物から取り外されたことを検出する取り外し検出部を有しているため、１つのリーダ・ライタ装置と通信可能な複数の非接触識別タグにおいて、所定物に取り付けられたものと取り外されたものとで、異なる処理をすることが可能となる。例えば、所定物から取り外された非接触識別タグに対して、データ記憶部への新たなデータの記憶や、表示部の表示の更新を禁止したり、制限したりすることが可能となる。
【００５１】
この非接触識別タグにおいて、前記取り外し検出部の検出結果に基づいて、外部からのアクセスを制限するようにしてもよい。
【００５２】
これによれば、所定物から取り外された非接触識別タグが、外部からのアクセスを制限するため、取り外された非接触識別タグへの不正な書き込み等を防止することが可能となる。
【発明を実施するための最良の形態】
【００５３】
以下、本発明の実施形態を図面に基づいて説明する。なお、以下に示す実施形態は、特許請求の範囲に記載された発明の内容を何ら限定するものではない。また、以下に示す構成のすべてが、特許請求の範囲に記載された発明の解決手段として必須であるとは限らない。
【００５４】
本発明に係る非接触データ通信システムの構成を、図１を用いて説明する。図１（ａ）は、本発明に係る非接触データ通信システムを回転寿司店の会計に適用した際の構成を示す概略構成図であり、図１（ｂ）は、非接触識別タグが取り付けられた皿の斜視図である。
【００５５】
図１（ａ）に示すように、非接触データ通信システム１は、リーダ・ライタ装置２と、複数の非接触識別タグ３とを含んだ構成になっており、本実施形態では、非接触識別タグ３は、所定物としての皿４に取り付けられている。
【００５６】
リーダ・ライタ装置２は、皿４に取り付けられた非接触識別タグ３に、商品名や単価等の管理データを書き込んだり、非接触識別タグ３に書き込まれた前記管理データを読み出したりするデータ通信を非接触で行うものである。
【００５７】
非接触識別タグ３は、図１（ｂ）に示すように、皿４の側面に設けられた支持部４ａに取り付けられている。非接触識別タグ３は、皿４と一対一に対応付けされており、リーダ・ライタ装置２との間でＩＤ番号を用いた非接触のデータ通信を行い、皿４を管理するものである。さらに、非接触識別タグ３は、自己が皿４から取り外されたことを検出する取り外し検出部を備えており、皿４から取り外された際には、それを検出してリーダ・ライタ装置２に通知するようになっている。なお、ＩＤ番号は、非接触識別タグ３毎にそれぞれ固有のものであり、非接触識別タグ３のデータ記憶部３３（図３参照）に記憶されている。
【００５８】
皿４は、その上に寿司や他の飲食物等が搭載された後、カウンターやテーブルに沿って備えられた搬送路上を搬送されて客に提供されるものであり、これら一つ一つに非接触識別タグ３が取り付けられている。客が寿司や他の飲食物を皿４ごと搬送路から受け取り、これを飲食した後、皿４は、図１（ａ）に示すように、カウンターやテーブル上に積み重ねられる。
【００５９】
次に、リーダ・ライタ装置２の構成を、図２を用いて説明する。図２は、リーダ・ライタ装置２の概略構成を示すブロック図である。
【００６０】
図２に示すように、リーダ・ライタ装置２は、データ受信部２０、データ送信部２１、制御部２２、操作部２３、ＲＡＭ（Random Access Memory）２４、ＲＯＭ（Read Only Memory）２５、演算部２６、表示部２７及びアンテナ２８を含んだ構成となっている。ここで、データ受信部２０、データ送信部２１及びアンテナ２８は、第１のデータ通信部としてのデータ通信部２ａを構成し、このデータ通信部２ａによって、非接触識別タグ３とのデータ通信が行われる。
【００６１】
データ受信部２０は、非接触識別タグ３からのデータを非接触で受信するものであり、非接触識別タグ３に記憶された管理データや非接触識別タグ３が取り外されたことを示すデータ等を、アンテナ２８を介して取得することができる。
【００６２】
データ送信部２１は、非接触識別タグ３に書き込む管理データ等のデータやコマンド等を、アンテナ２８を介して非接触で送信するものである。
【００６３】
ここで、本実施形態におけるリーダ・ライタ装置２と非接触識別タグ３との間のデータ通信は、主に、２５０ｋＨｚ以下、或いは、１３．５６ＭＨｚ帯の長・中波帯の電磁波を利用して交信を行う電磁誘導方式を利用し、かつ、交信領域内にある複数の非接触識別タグ３のうち、特定の非接触識別タグ３と交信ができるセレクティブアクセスモードを利用している。また、本実施形態では、データやコマンドを送信する際の搬送波（電磁波）を非接触識別タグ３への電力供給に利用しているため、データ送信部２１及びアンテナ２８は、非接触識別タグ３に電力供給用の電磁波を送信する電力供給用電磁波送信部としても機能する。
【００６４】
なお、非接触識別タグ３に対するコマンドの種類には、応答要求コマンド、メモリ書込みコマンド、表示コマンド等があり、リーダ・ライタ装置２が応答要求コマンドを送信すると、これを受信したすべての非接触識別タグ３から、ＩＤ番号と、データ記憶部３３に記憶された管理データ等とがリーダ・ライタ装置２に送信される。また、メモリ書込みコマンドは、ＩＤ番号を指定して、特定の非接触識別タグ３のデータ記憶部３３にデータを書き込むためのコマンドであり、表示コマンドは、ＩＤ番号を指定して、特定の非接触識別タグ３の電気泳動表示装置３７（図３参照）に所定の表示を行うためのものである。
【００６５】
制御部２２は、図示しないＣＰＵ（Central Processing Unit）により、ＲＯＭ２５に記憶された制御プログラムを実行することによって、リーダ・ライタ装置２の動作を統括制御するものである。その制御内容としては、まず、非接触識別タグ３からのデータの受信や、非接触識別タグ３へのデータの送信などの、データ受信部２０及びデータ送信部２１を用いた電磁誘導方式によるデータ通信処理の制御がある。さらに、操作部２３の操作内容に応じて制御プログラム実行時に用いる設定値の変更処理等の制御、表示部２７に非接触識別タグ３から取得した情報等を表示する表示処理制御等を行う。
【００６６】
操作部２３は、電源の投入と切断、プログラムのリセットなどを行うための操作スイッチや、非接触識別タグ３に書き込むデータ内容の設定部等を備えている。
【００６７】
ＲＡＭ２４は、制御部２２のＣＰＵにより、ＲＯＭ２５に記憶された制御プログラムを実行する際に必要なデータを一時記憶するためのメモリであり、ＲＯＭ２５は、リーダ・ライタ装置２を統括制御するための制御プログラムが記憶された読み取り専用のメモリである。
【００６８】
演算部２６は、ＲＡＭ２４やＲＯＭ２５に記憶された数値等の演算を行うものである。  表示部２７は、液晶等の表示領域を備え、非接触識別タグ３から取得した情報、リーダ・ライタ装置２の現在の設定内容、処理の実行状況等を表示する機能を備えている。
【００６９】
次に、非接触識別タグ３の構成を、図３を用いて説明する。図３は、非接触識別タグ３の概略構成を示すブロック図である。
【００７０】
図３に示すように、非接触識別タグ３は、第２のデータ通信部としてのデータ通信部３ａ、制御部３ｂ、データ記憶部３３、取り外し検出部３５、表示部としての電気泳動表示装置３７及び駆動用電力生成部としての電源生成部３８を含んだ構成になっている。
【００７１】
データ通信部３ａは、データ受信部３０と、データ送信部３１と、コイルアンテナ３９とを含んだ構成となっており、データ受信部３０は、リーダ・ライタ装置２から伝送されたデータを、電磁誘導方式によって受信する機能を備えている。また、データ送信部３１は、データ記憶部３３に記憶されたデータを、リーダ・ライタ装置２に電磁誘導方式によって送信する機能を備えている。なお、これらの送受信は、コイルアンテナ３９を介して行われる。
【００７２】
制御部３ｂは、データ制御部３２と、電圧監視部３４と、表示処理部３６とを含んだ構成となっており、ロジック回路によって非接触識別タグ３の各部の動作を制御するようになっている。なお、本実施形態においては、ロジック回路により非接触識別タグ３の動作を制御する構成としているが、これに限られず、これらの動作をＣＰＵが制御プログラムを実行することにより制御する構成としても良い。
【００７３】
データ制御部３２は、データ通信部３ａにおけるデータの送受信の制御、受信したデータの記憶処理等の制御を行う。
【００７４】
電圧監視部３４は、非接触識別タグ３における、所定回路の電圧を監視する。
【００７５】
表示処理部３６は、データ制御部３２からの命令に応じて、電気泳動表示装置３７に所定情報を表示するための制御を行う。
【００７６】
データ記憶部３３は、フラッシュメモリや強誘電体メモリ（ＦｅＲＡＭ）等の不揮発性のメモリからなっており、データ制御部３２からの命令に応じて、リーダ・ライタ装置２から受信した管理データ等のデータを記憶する。
【００７７】
取り外し検出部３５は、皿４に取り付けられた非接触識別タグ３が、皿４から取り外されたときに、このことを電圧監視部３４において電圧の変化として検出するための機構を備えている。
【００７８】
電気泳動表示装置３７は、電気泳動現象を利用した表示装置であって、リーダ・ライタ装置２から受信したデータ等を表示するものである。なお、電気泳動表示装置３７は、表示画像保持性能（メモリ性）を有しているため、電圧の印加によって画像を一度表示させると、電圧の印加を解除した後も画像を保持することが可能になっている。
【００７９】
ここで、電気泳動現象とは、液相分散媒中に帯電した微粒子（電気泳動粒子）を分散させた分散液に電界を印加したときに、微粒子がクーロン力により泳動する現象である。本実施形態では、濃色の液相分散媒に淡色の電気泳動粒子が分散した分散液を使用している。
【００８０】
電源生成部３８は、リーダ・ライタ装置２がデータやコマンドを送信する際の搬送波（電磁波）から電力を生成して上記各部に供給するものである。
【００８１】
次に、非接触識別タグ３の取り外し検出部３５の構成を、図４を用いて説明する。図４は、取り外し検出部３５の構成を示す概略構成図である。
【００８２】
図４に示すように、取り外し検出部３５は、第１の検出用抵抗部３５ａと、第２の検出用抵抗部３５ｂとを有している。第１の検出用抵抗部３５ａの一端は電源に接続されており、他端は第２の検出用抵抗部３５ｂの一端に接続され、第２の検出用抵抗部３５ｂの他端は接地されている。そして、第１の検出用抵抗部３５ａと第２の検出用抵抗部３５ｂとの接続部が電圧監視部３４に接続されている。
【００８３】
つまり、電圧監視部３４は、第１の検出用抵抗部３５ａ及び第２の検出用抵抗部３５ｂによって分圧された接続部の電圧Ｅ３を監視するようになっている。
【００８４】
次に、非接触識別タグ３の詳細な構成を、図５及び図６を用いて説明する。図５（ａ）は、非接触識別タグ３の概略模式図であり、図５（ｂ）は、図５（ａ）におけるＡ−Ａ断面図である。また、図６（ａ）は、図５（ａ）の非接触識別タグ３を皿４に取り付けた状態でのＡ−Ａ断面図であり、図６（ｂ）は、図６（ａ）の断面図において非接触識別タグ３が皿４から取り外された状態を示す断面図である。
【００８５】
図５（ａ）に示すように、基板３００ｂ上には、基板３００ｂの周形状に沿って一筆書きに金属の渦巻線を形成することでコイルアンテナ３９が形成されている。ここで、本実施形態において、このコイルアンテナ３９は、例えば金属インクを用いたインクジェット法によって形成される。
【００８６】
さらに、基板３００ｂ上には、各構成要素３０〜３６，３８が１つのＩＣチップ３０１として実装され、さらに、電気泳動表示装置３７が実装されている。ここで、取り外し検出部３５の一部で、第１の検出用抵抗部３５ａとこれに接続された配線３００ａとが、ＩＣチップ３０１の外部に形成されている。なお、図５（ｂ）に示すように、第１の検出用抵抗部３５ａと配線３００ａとは、導電可能に接触した構成になっている。また、非接触識別タグ３の裏面には、非接触識別タグ３を皿４に取り付けるための粘着部３００ｃがほぼ全面に備えられているが、第１の検出用抵抗部３５ａの裏面には、粘着部３００ｃと切り離し可能な状態で異なる粘着部３００ｅが備えられている。ここで、第１の検出用抵抗部３５ａに備えられた粘着部３００ｅは、粘着部３００ｃよりも強い粘着力を有している。
【００８７】
このため、図６（ａ）に示すように、皿４の支持部４ａに取り付けられた非接触識別タグ３を皿４から取り外すと、第１の検出用抵抗部３５ａは、図６（ｂ）に示すように、非接触識別タグ３の本体から切り離されて皿４上に残るようになっている。
【００８８】
このようにして、非接触識別タグ３が皿４から取り外されることで、図４に示す回路から、第１の検出用抵抗部３５ａが切り離されることになる。従って、第１の検出用抵抗部３５ａ及び第２の検出用抵抗部３５ｂによって分圧されていた電圧が分圧されなくなるため電圧Ｅ３が変化することになる。この電圧の変化が電圧監視部３４によって検出され、皿４から非接触識別タグ３が取り外されたことが検出されることになる。
【００８９】
次に、非接触データ通信システム１を回転寿司店の会計に適用した際の具体的な動作を、図７を用いて説明する。図７は、非接触識別タグ３の電気泳動表示装置３７の表示状態を示す状態図であり、図７（ａ）は、集計前の状態を示す図、図７（ｂ）は、集計直後の状態を示す図、図７（ｃ）は、集計後に合計金額を表示した状態を示す図である。
【００９０】
まず、図１（ｂ）に示すように、複数の皿４の支持部４ａに、それぞれ固有のＩＤ番号が予め記憶された非接触識別タグ３を取り付けておく。ここで、非接触識別タグ３の電気泳動表示装置３７は、図７（ａ）に示すように、全面が淡色になるように設定されている。そして、リーダ・ライタ装置２の操作部２３において、皿４にそれぞれ取り付けられた非接触識別タグ３に書き込む管理データを設定する。ここで、設定する管理データとしては、商品名や単価データ等がある。これらの設定が終わると、書き込み対象の非接触識別タグ３のＩＤ番号とともに、この管理データを、データ送信部２１を介して送信する。
【００９１】
各非接触識別タグ３は、データ制御部３２の制御により、リーダ・ライタ装置２から送信された管理データ及びＩＤ番号を、データ受信部３０を介して受信し、前記ＩＤ番号が自己のＩＤ番号と一致する場合に、管理データをデータ記憶部３３に記憶する。そして、これらの処理が実行された旨を示す応答データを、データ送信部３１を介してリーダ・ライタ装置２に送信する。
【００９２】
非接触識別タグ３に管理データが記憶された皿４は、管理データに応じた寿司や他の飲食物等がその上に搭載され、客が飲食するカウンターやテーブルに沿って備えられた搬送路上を搬送されて客に提供される。客は、任意の寿司や飲食物を皿４ごと搬送路から受け取り、飲食後の皿４をカウンターやテーブル上に積み重ねていく。
【００９３】
客が飲食を終了し、皿４の集計をする際には、図１（ａ）に示すように、店員が積み重ねられた皿４にリーダ・ライタ装置２を近づけて、操作部２３を操作することにより、応答要求コマンドを送信する。積み重ねられた皿４に取り付けられた各非接触識別タグ３は、この応答要求コマンドを受信すると、自己のＩＤ番号と、第１のデータとしての管理データとをリーダ・ライタ装置２に送信する。リーダ・ライタ装置２は、これを受信することによって、会計対象となるすべての非接触識別タグ３を認識し、受信した管理データをＲＡＭ２４に記憶する。さらに、管理データを送信した非接触識別タグ３に対して、表示コマンドとともに前記管理データを正常に受信したことを示す第４のデータを送信し、これを受けた非接触識別タグ３は、図７（ｂ）に示すように、自己の電気泳動表示装置３７の全面を濃色に変更する。ここで、リーダ・ライタ装置２によって管理データが正常に受信されなかった非接触識別タグ３の電気泳動表示装置３７は、図７（ａ）に示すように、淡色のままであるため、店員と客の双方は、集計から漏れた皿４があることを容易に知ることができる。
【００９４】
次いで、リーダ・ライタ装置２は、各管理データに含まれる単価データを演算部２６で演算して合計金額を算出し、商品名や単価等からなる会計明細及び前記合計金額を、会計データとしてＲＡＭ２４に記憶する。その後、リーダ・ライタ装置２は、任意の１つの非接触識別タグ３に対して、メモリ書き込みコマンドとともに会計データを送信することにより、非接触識別タグ３のデータ記憶部３３にこれを記憶させるとともに、表示コマンドとともに第３のデータとしての合計金額データを送信して、図７（ｃ）に示すように、合計金額を非接触識別タグ３の電気泳動表示装置３７に表示させる。
【００９５】
客は、合計金額が表示された非接触識別タグ３を皿４から取り外して、レジに持参する。レジでは、他の店員が他のリーダ・ライタ装置２で、客が持参した非接触識別タグ３から会計データを受信することで、合計金額を認識し、会計が行われる。
【００９６】
なお、客が非接触識別タグ３を皿４から取り外すと、それが電圧監視部３４によって検出され、データ制御部３２は、これ以降の非接触識別タグ３へのアクセスを制限する。本実施形態では、非接触識別タグ３を皿４から取り外すと、データ記憶部３３へのデータの書き込みが禁止されるが、表示コマンドによって、電気泳動表示装置３７の表示状態を変更することは可能になっている。
【００９７】
次に、リーダ・ライタ装置２の動作処理の流れを、図８及び図９を用いて説明する。図８は、リーダ・ライタ装置２の集計時の動作処理を示すフローチャートであり、図９は、リーダ・ライタ装置２が非接触識別タグ３に会計データを書き込む際の動作処理の流れを示すフローチャートである。
【００９８】
客の飲食が終了し、飲食後の皿４を集計する際には、店員がリーダ・ライタ装置２の操作部２３を操作することにより、図８に示すステップＳ７００に移行する。
【００９９】
ステップＳ７００では、制御部２２の制御によって、会計対象となるすべての非接触識別タグ３に対して応答要求コマンドを、データ送信部２１を介して送信し、ステップＳ７０２に移行する。
【０１００】
ステップＳ７０２では、いずれか１つの非接触識別タグ３から、ＩＤ番号及び管理データ（第１のデータ）からなる応答を受信したか否かを判定し、受信した場合はステップＳ７０４に移行し、そうでない場合はステップＳ７２０に移行する。
【０１０１】
ステップＳ７０４では、受信したＩＤ番号をＲＡＭ２４に記憶（登録）して、ステップＳ７０６に移行する。
【０１０２】
ステップＳ７０６では、前記ＩＤ番号とともに受信した管理データを、同様にＲＡＭ２４に記憶（登録）して、ステップＳ７０８に移行する。
【０１０３】
ステップＳ７０８では、前記ＩＤ番号を有する非接触識別タグ３に対して表示コマンドとともに、ＩＤ番号及び管理データを正常に受信したことを示す第４のデータを送信し、この非接触識別タグ３の電気泳動表示装置３７の全面を濃色に変更する（図７（ｂ）参照）。さらに、一度登録した非接触識別タグ３には、以降の応答要求コマンドに対して応答しないように設定をするコマンドを送信して、ステップＳ７００に戻る。この動作を繰り返して、交信領域内にあるすべての非接触識別タグ３について、ＩＤ番号及び管理データの登録が完了すると、ステップＳ７０２において、応答が得られなくなり、ステップＳ７２０に移行する。
【０１０４】
ステップＳ７２０では、最初に応答が得られなかった時点から所定の時間が経過しているかどうかを判断し、所定時間に達していなかった場合は、ステップＳ７００に戻る。所定時間が経過していた場合には、交信領域内にあるすべての非接触識別タグ３からの管理データの受信が完了したと判断してステップＳ７２２に移行する。
【０１０５】
ステップＳ７２２では、登録したすべての管理データに含まれる単価を、演算部２６で演算して合計金額を算出し、これをＲＡＭ２４に記憶する。これにより、複数の管理データからなる会計明細と合計金額とを含む会計データが完成する。さらに、リーダ・ライタ装置２の表示部２７に、集計が終了した旨のメッセージと前記会計データを表示して、処理が終了する。
【０１０６】
次に、リーダ・ライタ装置２が、非接触識別タグ３に前記会計データを書き込む際の動作処理の流れを説明する。
【０１０７】
皿４の集計が終了し、店員が表示部２７に表示された会計データを確認した後、リーダ・ライタ装置２の操作部２３を操作することにより、図９に示すステップＳ７２４に移行する。
【０１０８】
ステップＳ７２４では、前記会計データを非接触識別タグ３のデータ記憶部３３に記憶させるために、任意の１つの非接触識別タグ３に対して、メモリ書込みコマンドとともに前記会計データを送信して、ステップＳ７２６に移行する。
【０１０９】
ステップＳ７２６では、前記メモリ書込みコマンドに対する非接触識別タグ３からの応答を受信したか否かを判定する。受信した場合にはステップＳ７３２に移行し、受信してない場合にはＳ７２８に移行する。
【０１１０】
ステップＳ７２８では、ステップＳ７２６において、メモリ書込みコマンドに対する非接触識別タグ３からの応答を受信していない場合に、所定の時間が経過しているかどうかを判断し、所定時間に達していない場合は、ステップＳ７２４を繰り返し、所定時間が経過していればステップＳ７３０に移行する。
【０１１１】
ステップＳ７３０では、リーダ・ライタ装置２の表示部２７に、会計データの書き込みに失敗した旨を「書込みエラー」のように表示し、ステップＳ７４４に移行する。
【０１１２】
ステップＳ７３２では、ステップＳ７２６において、メモリ書込みコマンドに対する非接触識別タグ３からの応答を受信した場合に、その応答内容から、非接触識別タグ３が皿４から取り外されているか否かを判定する。取り外されている場合には、ステップＳ７３４に移行してその旨を表示部２７に表示し、ステップＳ７４４に移行する。取り外されていない場合には、ステップＳ７３６に移行する。
【０１１３】
ステップＳ７３６では、合計金額を前記非接触識別タグ３の電気泳動表示装置３７に表示させるために、前記非接触識別タグ３に対して、表示コマンドとともに合計金額データ（第３のデータ）を送信して、ステップＳ７３８に移行する。
【０１１４】
ステップＳ７３８では、前記非接触識別タグ３から前記合計金額が正常に表示した旨の応答を受信したか否かを判定する。受信した場合にはステップＳ７４６に移行し、受信してない場合にはＳ７４０に移行する。
【０１１５】
ステップＳ７４０では、ステップＳ７３８において、合計金額が非接触識別タグ３の電気泳動表示装置３７に正常に表示した旨の応答を受信していない場合に、所定の時間が経過しているかどうかを判断し、所定時間に達していない場合は、ステップＳ７３６を繰り返し、所定時間が経過していればステップＳ７４２に移行する。
【０１１６】
ステップＳ７４２では、リーダ・ライタ装置２の表示部２７に、合計金額の表示に失敗した旨を「表示エラー」のように表示し、ステップＳ７４４に移行する。
【０１１７】
ステップＳ７４４では、前記非接触識別タグ３への書き込みや合計金額の表示に失敗した場合に、他の任意の非接触識別タグを１つ選定し、ステップＳ７２４からやり直す。
【０１１８】
ステップＳ７４６では、リーダ・ライタ装置２の表示部２７に、作業が正常に終了した旨の表示を行い、作業が終了する。
【０１１９】
上記のフローにより、会計対象となる複数の非接触識別タグ３のうち、いずれか１つ非接触識別タグ３のデータ記憶部３３に会計データが書き込まれるとともに、その非接触識別タグ３の電気泳動表示装置３７には、合計金額が表示される。
【０１２０】
次に、会計時における非接触識別タグ３の処理の流れを、図１０を用いて説明する。図１０は、会計時における非接触識別タグ３の処理の流れを示すフローチャートである。
【０１２１】
図１０に示すように、まずステップＳ８００において、非接触識別タグ３は、データ受信部３０を介してリーダ・ライタ装置２から何らかのコマンドを受信すると、ステップＳ８０２に移行する。
【０１２２】
ステップＳ８０２では、制御部３ｂにおいて、受信したコマンドの内容を判断する。ここでは、受信したコマンドがメモリ書込みコマンドであるか否かを判断し、メモリ書込みコマンドである場合には、ステップＳ８０４に移行する。それ以外のコマンドである場合には、ステップＳ８２０に移行する。
【０１２３】
ステップＳ８０４に移行した場合は、電圧監視部３４において、電圧Ｅ３の変化が検出されたか否かを判定し、検出された場合には、ステップ８０６に移行し、検出されない場合には、ステップＳ８１０に移行する。
【０１２４】
ステップＳ８０６に移行した場合には、表示処理部３６によって、電気泳動表示装置３７上に、「×」印等のようにタグが取り外されていることを示すための表示を行い、ステップＳ８０８に移行する。
【０１２５】
ステップＳ８０８では、データ送信部３１を介して、リーダ・ライタ装置２にＩＤ番号と、タグが取り外されていることを示すデータとを送信し、処理を終了する。
【０１２６】
ステップＳ８０４において、電圧Ｅ３の変化が検出されず、Ｓ８１０に移行した場合には、メモリ書込みコマンドとともに受信した会計データをデータ記憶部３３に記憶してステップＳ８１２に移行する。
【０１２７】
ステップＳ８１２では、データ送信部３１を介して、リーダ・ライタ装置２にＩＤ番号と、メモリ書込みを正常に実施したことを示すデータとを送信し、処理を終了する。
【０１２８】
ステップＳ８０２において、受信したコマンドがメモリ書込みコマンドではなく、ステップＳ８２０に移行した場合には、前記コマンドが表示コマンドか否かを判定する。この結果、表示コマンドであれば、ステップ８２２に移行し、そうでない場合にはステップＳ８４０に移行する。
【０１２９】
ステップＳ８２２では、表示する内容が、リーダ・ライタ装置２が管理データを正常に受信したことを示す表示か否かを判定し、そうである場合（表示コマンドとともに第４のデータが送信された場合）にはステップＳ８２４に移行し、そうでない場合にはステップＳ８２６に移行する。
【０１３０】
ステップＳ８２４では、表示処理部３６が電気泳動表示装置３７の全面を濃色にして、リーダ・ライタ装置２が管理データを正常に受信したことを示す。その後、ステップＳ８１２に移行して、ＩＤ番号と、正常に表示したことを示すデータとをリーダ・ライタ装置２に送信し、処理を終了する。
【０１３１】
ステップＳ８２６に移行した場合には、表示する内容が、合計金額の表示であるか否かを判定し、そうである場合には、ステップＳ８２８に移行し、そうでない場合にはステップＳ８３０に移行する。
【０１３２】
ステップＳ８２８では、表示処理部３６が電気泳動表示装置３７に、表示コマンドとともに第３のデータとして受信した合計金額を表示する。その後、ステップＳ８１２に移行して、ＩＤ番号と、正常に表示したことを示すデータとをリーダ・ライタ装置２に送信し、処理を終了する。
【０１３３】
ステップＳ８３０では、表示コマンドにおいて、表示する内容が前記以外のものであった場合に、その表示処理を行い、ステップＳ８１２に移行する。
【０１３４】
また、ステップＳ８２０において、受信したコマンドが表示コマンドではなく、ステップＳ８４０に移行した場合には、そのコマンドが、応答要求コマンドであるか否かを判定する。この結果、応答要求コマンドであれば、ステップＳ８４２に移行し、そうでない場合には、ステップＳ８４４に移行する。
【０１３５】
ステップＳ８４２では、自己のＩＤ番号と、データ記憶部３３に記憶された第１のデータとしての管理データとをリーダ・ライタ装置２に送信して、処理を終了する。
【０１３６】
ステップＳ８４４では、受信したコマンドが前述したコマンド以外であった場合に、各コマンドに応じた処理を行い、終了する。
【０１３７】
以上説明したように、本実施形態の非接触データ通信システム及び非接触識別タグによれば、以下の効果を得ることができる。
【０１３８】
（１）本実施形態によれば、リーダ・ライタ装置２が、複数の非接触識別タグ３の管理データに含まれる単価を演算して合計金額を算出し、この合計金額を非接触識別タグ３の電気泳動表示装置３７に表示するため、店員と客の双方が合計金額を視認することが可能となり、紙を用いずに、その場で演算結果の妥当性を確認することが可能となる。
【０１３９】
（２）本実施形態によれば、リーダ・ライタ装置２が、非接触識別タグ３に電力供給用の電磁波を送信する電力供給用電磁波送信部を有し、非接触識別タグ３が、リーダ・ライタ装置２から送信された電力供給用の電磁波から駆動用電力を生成する駆動用電力生成部（電源生成部３８）を有するため、リーダ・ライタ装置２から送信される電磁波で、非接触識別タグ３を駆動することが可能となり、非接触識別タグ３には電池等の電源を備える必要がない。この結果、小型で薄型の非接触識別タグ３を得ることが可能となる。
【０１４０】
（３）本実施形態によれば、非接触識別タグ３が、皿４から非接触識別タグ３が取り外されたか否かを検出する取り外し検出部３５を有するため、皿４から取り外された非接触識別タグ３に対して、データ記憶部への新たなデータの記憶を禁止することが可能となり、取り外された非接触識別タグへの不正な書き込み等を防止することが可能となる。
【０１４１】
（４）本実施形態によれば、リーダ・ライタ装置２が、非接触識別タグ３から第１のデータとしての管理データを受信した後、これを正常に受信したことを示す第４のデータを前記非接触識別タグ３に送信し、前記非接触識別タグ３は、第４のデータを受信すると、自己の電気泳動表示装置３７を全面濃色に変更する。このため、前記第１のデータがリーダ・ライタ装置２で正常に受信されたものとそうでないものを、非接触識別タグ３の電気泳動表示装置３７によって見分けることが可能となる。この結果、読み取り損ねたり誤って読み取ったりした非接触識別タグ３を検出することが容易になる。
【０１４２】
（変形例）
なお、本発明の実施形態は、以下のように変更してもよい。
【０１４３】
・前記実施形態では、皿４に搭載される商品の単価は、皿４に取り付けられた非接触識別タグ３に記憶されているが、リーダ・ライタ装置２が非接触識別タグ３の各ＩＤ番号に対応付けられた単価を自己のＲＡＭ２４やＲＯＭ２５等のメモリに備えていてもよい。
【０１４４】
これによれば、非接触識別タグ３からは、ＩＤ番号のみを第１のデータとして受信するだけで、各ＩＤ番号に対応付けられた単価を第２のデータとして自己のメモリから読み出して合計金額（第３のデータ）の算出をすることが可能となる。さらに、各ＩＤ番号に対応付けられた単価は、予めＲＡＭ２４やＲＯＭ２５等のメモリに記憶していてもよいし、ＩＤ番号を受信した後に、他の記憶装置に記憶されたデータベース等にアクセスして、各ＩＤ番号に対応付けられた単価を入手し、自己のメモリに記憶するようにしてもよい。
【０１４５】
・前記実施形態では、複数の非接触識別タグ３のうち、１つの非接触識別タグ３のみに対して会計データの書き込み及び合計金額の表示を行っているが、これを、複数又は交信領域内のすべての非接触識別タグ３に対して行ってもよい。
【０１４６】
これによれば、飲食したすべての皿４に取り付けられた非接触識別タグ３に会計データの書き込み及び合計金額の表示がされるため、客はどの皿４に取り付けられた非接触識別タグ３をレジに持参してもよく、合計金額が表示された非接触識別タグ３を探す必要がなくなる。
【０１４７】
さらに、この場合において、非接触識別タグ３に対して合計金額（第３のデータ）を表示させることによって、非接触識別タグ３から管理データ（第１のデータ）を正常に受信したことを示してもよい。これによれば、正常に受信したことを示すために、表示コマンド及び第４のデータを送信する必要がない。
【０１４８】
・前記実施形態では、リーダ・ライタ装置２が、非接触識別タグ３から管理データ（第１のデータ）を受信した後に、前記管理データを正常に受信したことを示す第４のデータを非接触識別タグ３に送信し、非接触識別タグ３の電気泳動表示装置３７の表示を全面濃色に変更しているが、これを、非接触識別タグ３がリーダ・ライタ装置２に管理データを送信した後に、自ら電気泳動表示装置３７の表示を変更してもよい。
【０１４９】
これによれば、管理データをリーダ・ライタ装置２に送信したものとそうでないものを、非接触識別タグの表示部によって見分けることが可能となるため、表示コマンドとともに第４のデータを送信することなく、読み取り損ねたり誤って読み取ったりした非接触識別タグ３を検出することが容易になる。
【０１５０】
・前記実施形態では、リーダ・ライタ装置２が、会計明細及び合計金額データからなる会計データを、非接触識別タグ３に、メモリ書き込みコマンドとともに送信した後に、表示コマンドとともに合計金額データを送信して、非接触識別タグ３の電気泳動表示装置３７に合計金額を表示している。これを、会計データをメモリ書き込みコマンドとともに送信するだけで、非接触識別タグ３が、会計データから合計金額を抽出して、電気泳動表示装置３７に表示するようにしてもよい。
【０１５１】
これによれば、リーダ・ライタ装置２の動作処理を簡略化することが可能となる。なお、この場合、メモリ書き込みコマンドとともに送信する会計データが第３のデータとなる。
【０１５２】
・前記実施形態では、非接触識別タグ３の電気泳動表示装置３７に、合計金額のみを表示しているが、さらに会計明細等の詳細な情報を表示するようにしてもよい。
【０１５３】
これによれば、より詳しい確認が可能となるうえ、客に非接触識別タグ３を持ち帰ってもらうことにより、非接触識別タグ３をレシートの代用にすることが可能となり、紙資源の浪費を抑制することが可能となる。また、この場合において、非接触識別タグ３に割引券やクーポン券の役割を持たせることにより、非接触識別タグ３を客から回収することが可能となる。さらに、このとき、電気泳動表示装置３７に広告の表示やクーポン券である旨の表示を行ってもよい。
【０１５４】
・前記実施形態では、電圧監視部３４及び取り外し検出部３５が、電圧値の変化によって、非接触識別タグ３が皿４から取り外されたことを検出するようにしているが、これに限らず、電流値の変化を検出したり、スイッチ等を利用したりするなど、他の方法によって非接触識別タグ３が皿４から取り外されたことを検出するようにしても良い。
【０１５５】
・前記実施形態では、皿４に取り付けられた非接触識別タグ３を取り外すことにより、第１の検出用抵抗部３５ａが基板３００ｂから分離して、電圧が変化するようにしているが、分離する箇所は、第２の検出用抵抗部３５ｂであってもよい。さらに、これは検出用抵抗部に限られず、図４における電源から接地電位に至る配線の一部であってもよい。
【０１５６】
・前記実施形態では、非接触データ通信システム１を回転寿司の会計に適用しているが、適用分野はこれに限定されず、商品の生産管理や飲食物の賞味期限の管理等に適用可能である。また、前記実施形態では、第１のデータは単価データを含んだ管理データであり、第３のデータは合計金額データを含んだ会計データとしているが、各データの構成は、これに限定されない。例えば、リーダ・ライタ装置２が第１のデータを送信した非接触識別タグ３の個数を合計し、これを第３のデータとしてもよいし、第１のデータは商品の保管期限や賞味期限等の期間情報を含んだ管理データで、リーダ・ライタ装置２での演算によって、これらの期限の最大値や最小値又は平均値等を算出し、これを第３のデータとすることも可能である。
【図面の簡単な説明】
【０１５７】
【図１】（ａ）は、本発明の非接触データ通信システムを回転寿司店の会計に適用した際の構成を示す概略構成図、（ｂ）は、非接触識別タグが取り付けられた皿の斜視図。
【図２】リーダ・ライタ装置の概略構成を示すブロック図。
【図３】非接触識別タグの概略構成を示すブロック図。
【図４】非接触識別タグの取り外し検出部の構成を示す概略構成図。
【図５】（ａ）は、非接触識別タグの概略模式図、（ｂ）は、（ａ）におけるＡ−Ａ断面図。
【図６】（ａ）は、非接触識別タグを皿に取り付けた状態での拡大断面図、（ｂ）は、非接触識別タグが皿から取り外された状態での拡大断面図。
【図７】非接触識別タグの電気泳動表示装置の表示状態を示す図であり、（ａ）は、集計前の状態を示す図、（ｂ）は、集計直後の状態を示す図、（ｃ）は、集計後に合計金額を表示した状態を示す図。
【図８】リーダ・ライタ装置の集計時の動作処理の流れを示すフローチャート。
【図９】リーダ・ライタ装置が非接触識別タグに会計データを書き込む際の動作処理の流れを示すフローチャート。
【図１０】非接触識別タグの処理の流れを示すフローチャート。
【符号の説明】
【０１５８】
１…非接触データ通信システム、２…リーダ・ライタ装置、２ａ…第１のデータ通信部としてのデータ通信部、２０…データ受信部、２１…電力供給用電磁波送信部を構成するデータ送信部、２２…制御部、２３…操作部、２４…ＲＡＭ、２５…ＲＯＭ、２６…演算部、２７…表示部、２８…電力供給用電磁波送信部を構成するアンテナ、３…非接触識別タグ、３ａ…第２のデータ通信部としてのデータ通信部、３ｂ…制御部、３０…データ受信部、３１…データ送信部、３２…データ制御部、３３…データ記憶部、３４…電圧監視部、３５…取り外し検出部、３５ａ…第１の検出用抵抗部、３５ｂ…第２の検出用抵抗部、３６…表示処理部、３７…表示部としての電気泳動表示装置、３８…駆動用電力生成部としての電源生成部、３９…コイルアンテナ、３００ａ…配線、３００ｂ…基板、３００ｃ、３００ｅ…粘着部、３０１…ＩＣチップ、４…所定物としての皿、４ａ…支持部。
【図１】
2005157850.tif 000003
【図２】
2005157850.tif 000004
【図３】
2005157850.tif 000005
【図４】
2005157850.tif 000006
【図５】
2005157850.tif 000007
【図６】
2005157850.tif 000008
【図７】
2005157850.tif 000009
【図８】
2005157850.tif 000010
【図９】
2005157850.tif 000011
【図１０】
2005157850.tif 000012